【手続補正書】
【提出日】平成16年5月28日(2004.5.28)
【手続補正１】
【補正対象書類名】明細書
【補正対象項目名】全文
【補正方法】変更
【補正の内容】
【書類名】      明細書
【発明の名称】  遊技機の認識システム
【特許請求の範囲】
【請求項１】  遊技制御プログラムを格納した遊技用ワンチップマイクロコンピュータを実装した遊技制御基板を、基板ボックス内に収納するとともに、該基板ボックスを封止機構により封止して構成された遊技制御装置を備えた遊技機の認識システムにおいて、
前記遊技用ワンチップマイクロコンピュータは、固有の識別情報を備え、
前記基板ボックスの蓋部材に、前記固有の識別情報を認識する読取機能を有する検査ユニット装置を収納するための凹室若しくは段差を設け、
前記検査ユニット装置には、前記読取機能により前記遊技制御装置の固有の識別情報を読み取るための外部接触電極を設け、
前記遊技制御装置の一部には、前記検査ユニット装置を載せたとき、当該検査ユニット装置の外部接触電極と接触して前記固有の識別情報の認識を可能とする相手側接触電極を有する載置台を設けたことを特徴とする遊技機の認識システム。
【請求項２】  前記載置台を、前記基板ボックスの蓋部材の上面側の一部に、差し込み式の受け台として設け、該受け台に前記検査ユニット装置を差し込んだとき、当該受け台内の相手側接触電極に前記検査ユニット装置の接触電極が接触して前記固有識別情報の認識が可能となるようにしたことを特徴とする請求項１に記載の遊技機の認識システム。
【請求項３】  前記検査ユニット装置が、前記固有の識別情報を読み取って自己が記憶している識別情報と比較し、両者が一致或いは不一致であった場合に、それらを識別可能に表示する表示機能を有することを特徴とする請求項１または２に記載の遊技機の認識システム。
【請求項４】  前記検査ユニット装置が、読み取り開始用のスイッチを有することを特徴とする請求項１から３のいずれかに記載の遊技機の認識システム。
【請求項５】  前記検査ユニット装置が、遊技制御装置から供給される電源により作動することを特徴とする請求項１から４のいずれかに記載の遊技機の認識システム。
【発明の詳細な説明】
【０００１】
【発明の属する技術分野】
本発明は、遊技用ワンチップマイクロコンピュータを使用した遊技制御装置を備えたパチンコ遊技機等の遊技機の認識システムに関するものである。
【０００２】
【従来の技術】
遊技機、例えばパチンコ遊技機にあっては、遊技制御プログラムを格納した読み出し専用メモリＲＯＭが、不正なＲＯＭ、具体的には遊技制御プログラムを不正に改竄して不当に賞球を獲得し易くした不正ＲＯＭと交換されることがある。そこで、従来、遊技機では、この不正を防止するために、ＲＯＭ、ＲＡＭ、及びＣＰＵを１つのパッケージ内に設けたいわゆる遊技用ワンチップマイクロコンピュータを採用している。
【０００３】
【発明が解決しようとする課題】
しかしながら、遊技用ワンチップマイクロコンピュータを採用しても、確実に不正を防止できるとは言えない。例えば、正規の遊技用ワンチップマイクロコンピュータを取り外して不正なワンチップマイクロコンピュータと交換したり、或いは遊技制御基板全体を不正なものと交換されるがことが稀に行われる。そして、ワンチップマイクロコンピュータだけを不正に交換されても、遊技制御装置の外部から発見することは極めて困難なことであり、遊技制御装置の基板ボックスが封印されている昨今の遊技機においては一層困難である。
【０００４】
本発明は上記した現状に鑑みてなされたものであり、その目的は、遊技機において正規の遊技用ワンチップマイクロコンピュータを取り外して他のものと不正に交換された場合に、外部から検査することができる遊技機の認識システムを提供しようとするものである。
【０００５】
【課題を解決するための手段】
本発明は、上記目的を達成するため提案されたもので、請求項１に記載の発明は、遊技制御プログラムを格納した遊技用ワンチップマイクロコンピュータを実装した遊技制御基板を、基板ボックス内に収納するとともに、該基板ボックスを封止機構により封止して構成された遊技制御装置を備えた遊技機の認識システムにおいて、
前記遊技用ワンチップマイクロコンピュータは、固有の識別情報を備え、
前記基板ボックスの蓋部材に、前記固有の識別情報を認識する読取機能を有する検査ユニット装置を収納するための凹室若しくは段差を設け、
前記検査ユニット装置には、前記読取機能により前記遊技制御装置の固有の識別情報を読み取るための外部接触電極を設け、
前記遊技制御装置の一部には、前記検査ユニット装置を載せたとき、当該検査ユニット装置の外部接触電極と接触して前記固有の識別情報の認識を可能とする相手側接触電極を有する載置台を設けたことを特徴とする遊技機の認識システムである。
【０００６】
請求項２に記載のものは、前記載置台を、前記基板ボックスの蓋部材の上面側の一部に、差し込み式の受け台として設け、該受け台に前記検査ユニット装置を差し込んだとき、当該受け台内の相手側接触電極に前記検査ユニット装置の接触電極が接触して前記固有識別情報の認識が可能となるようにしたことを特徴とする請求項１に記載の遊技機の認識システムである。
【０００７】
請求項３に記載のものは、前記検査ユニット装置が、前記固有の識別情報を読み取って自己が記憶している識別情報と比較し、両者が一致或いは不一致であった場合に、それらを識別可能に表示する表示機能を有することを特徴とする請求項１または２に記載の遊技機の認識システムである。
【０００８】
請求項４に記載のものは、前記検査ユニット装置が、読み取り開始用のスイッチを有することを特徴とする請求項１から３のいずれかに記載の遊技機の認識システムである。
【０００９】
請求項５に記載のものは、前記検査ユニット装置が、遊技制御装置から供給される電源により作動することを特徴とする請求項１から４のいずれかに記載の遊技機の認識システムである。
【００１０】
【発明の実施の形態】
以下、本発明の実施の形態を図面に基づいて説明する。
図１は代表的な遊技機であるパチンコ遊技機（以下、単にパチンコ機１という。）の背面図、図２は遊技制御ユニット（遊技制御装置）２および電源供給ユニット３の斜視図、図３は共通のベース部材４に遊技制御ユニット２と電源供給ユニット３を取り付ける前の状態の斜視図、図４は遊技制御手段である遊技制御ユニット２の遊技制御基板５の斜視図である。
【００１１】
パチンコ機１は、機枠６の前面開口部分に額縁状の前面枠７を開閉可能に取り付け、この前面枠７の開口部分を裏側から塞ぐようにして遊技盤９を取り付け、この遊技盤９の表面に、ガイドレール等の区画部材により区画して形成した遊技領域（図示せず）内に、入賞具、始動口に入賞することを条件として図柄合わせ遊技等の別遊技を行う特別図柄表示装置、別遊技で大当りになると開く大入賞口などを設けてある。また、前面枠７の裏側に裏機構盤１０を取り付け、この裏機構盤１０に球貯留タンク１１、球導出樋１２、球排出ユニット１３などを取り付けるとともに、各種の制御装置を取り付ける。
【００１２】
本実施形態では、制御装置を機能別に分けてそれぞれ別個のケース（基板ボックス）に収納してユニット化し、遊技制御ユニット（遊技制御装置）２、表示制御ユニット１４、装飾制御ユニット１５、音制御ユニット１６、排出制御ユニット１７、及び、発射制御ユニット１９とし、中継基盤２０や配線２１を介して各制御ユニットを電気的に接続している。なお、これらの制御ユニットは、それぞれを独立した状態で取り付ける。
【００１３】
遊技制御ユニット２は、遊技領域に配設された入賞具、始動口、特別図柄表示装置（特図表示装置）、大入賞口などの電気部品を統括的に制御する制御装置である。また、表示制御ユニット１４は、可変表示による別遊技を行うための特図表示装置の画像表示を制御する制御装置である。装飾制御ユニット１５は、サイドランプ等の発光装飾部材の発光を制御する制御装置である。音制御ユニット１６は、効果音を生成する等、音に関する制御を行う制御装置である。排出制御ユニット１７は、上記した球排出ユニット１３を制御し、所定数の遊技球を排出させる制御装置である。発射制御ユニット１９は、発射操作部の回動量に応じて球発射装置を制御し、回動量に対応した強さで遊技球を発射させる制御装置である。
【００１４】
遊技制御装置たる遊技制御ユニット２は、図１から図３に示すように、下部にヒンジ機構２２を、上部に閉状態保持用の係止具２３を有する上蓋部材２４と底蓋部材２５からなる遊技制御基板ケース（基板ボックス）２６の内部に遊技制御基板５を収納したもので、係止具２３側と一側（電源供給ユニット３側）に封止機構の一部として設けたかしめ部材（図示せず）をワンウエイネジで締着することにより封止することができ、遊技制御基板ケース２６の他側（電源供給ユニット３とは反対側）には、遊技制御基板ケース２６の外部に露出して他の制御ユニット等に接続するための配線接続領域３０を備え、この配線接続領域３０にはコネクタカバー３１を別途着脱可能に取り付けてある。そして、このコネクタカバー３１の側面には、後述する検査用出力端子３２に検査用配線を接続するための貫通部として貫通窓３３を横向きに開設してある。
【００１５】
底蓋部材２５は、透明なプラスチック製の上面開放の浅い箱状体であり、無数の小孔を開設した底面部の四周（遊技制御基板５を収納し得る大きさ）から低い側壁を立設するとともに、ヒンジ機構２２の一部を構成する軸受部、係止具２３の一部を構成する受片、かしめ部材の一部を構成する連結筒部などを一体成型し、底面部の内側に、遊技制御基板５を支持する突起状の連通部（図示せず）を設けてある。
【００１６】
上蓋部材２４は、底蓋部材２５と同様に透明なプラスチック製の下面開放の箱状体であり、無数の小孔を開設した天井部（遊技制御基板５の配線接続領域３０を除いた部分を収納し得る大きさ）の四周から側壁を垂設するとともに、ヒンジ機構２２の一部を構成する軸部、係止具２３の一部を構成する係止突部、かしめ部材の一部を構成する連結筒部、配線２１を一時的に束ねる鈎状のケーブルフック３４などを一体成型してある。
なお、封止機構は、上蓋部材２４と底蓋部材２５とを一旦閉状態に止着して閉操作したならば、その後は開操作を受け付けず、かしめ部材の基端を切断するなどして、破損しない限り開くことができない機能を備えていればどのような構成でもよい。
【００１７】
遊技制御基板５には、図４に示すように、ＲＯＭ、ＲＡＭ、及びＣＰＵを１つのチップとして構成した遊技用ワンチップマイクロコンピュータ（ワンチップマイコン）３５を始めとして他の電子部品３６が実装され、ワンチップマイコン３５内のＲＯＭには、遊技制御プログラム及び当該ワンチップマイコン３５固有の識別情報（ここでは識別番号ＩＤ）が書換え不能に格納されている。遊技制御基板５には、その一側に形成した配線接続領域３０に、遊技関連の入出力用コネクタ４０を配線接続領域３０の左右ほぼ中央に二列×３の６個並べて取り付けるとともに、該入出力用コネクタ列の近傍であって配線接続領域３０の隅角部に、上記固有識別情報ＩＤを読み出し可能な検査用出力端子３２が設けられ、管理装置と接続できるようになっている。そして、本実施形態では、遊技関連の入出力用コネクタ４０には、遊技制御基板５に対して垂直方向に接続ピンを立設して外部接続配線２１を遊技制御基板５に垂直方向に接続する形式のコネクタを使用し、検査用出力端子３２には、入出力用コネクタ４０とは異なる形式であって検査用配線の接続方向も異なるタイプのコネクタを使用する。
【００１８】
この検査用出力端子３２は、いわゆるモジュラージャックと呼ばれるコネクタであり、図５に示すように、側面に開口を有して内部に凹部４１を形成した略立方体形であり、凹部４１の内面（具体的には開口から底面にわたる面）に、ピン状の接点４２を複数（本実施形態では６つ）備えており、凹部４１の天井面には抜け止め受部４３が形成され、この抜け止め受部４３に、検査用配線４４の先端に設けたプラグ４５の抜け止め部４６が係合するように構成してある。
【００１９】
なお、このモジュラータイプのコネクタは、検査用配線４４の絶縁被覆自体をプラグ４５に固着し、このプラグ４５の抜け止め部４６と上記抜け止め受部４３との係合により、検査用出力端子３２を遊技制御基板５に確実に固定してあれば検査用配線４４を引っ張っても抜け難く、導通状態を確実に維持することができる。また、検査用出力端子３２の凹部４１の開口は、図６に示すように、遊技球４７の大きさよりも小さく設定されており、遊技球４７が開口に当接しても、凹部４１内に入り込むことはない。したがって、接点４２間が遊技球４７によって短絡されることもない。なお、開口の縁部分の接点は、溝４９内に収納されて突出していないので、遊技球が開口の縁部分に接触しても短絡することはない。
【００２０】
上記した構成からなる遊技制御基板５を上蓋部材２４と下蓋部材２５とからなる遊技制御基板ケース（基板ボックス）２６内に収納すると、図３に示すように、上蓋部材２４の左右寸法が下蓋部材２５よりも小さいので、この大きさの違い分だけ遊技制御基板５の一部、すなわち配線接続領域３０が外部に露出する。したがって、かしめ部材等の封止機構により上蓋部材２４と下蓋部材２５とを閉じた状態で封止した後であっても、遊技関連の入出力用コネクタ４０に、表示制御ユニット１４、装飾制御ユニット１５、音制御ユニット１６、排出制御ユニット１７などとの間を電気的に接続する外部配線２１の各コネクタを、遊技関連入出力用コネクタ４０にそれぞれ差し込むことができる。そして、配線接続作業が終了したならば、コネクタカバー３１を配線接続領域３０に取り付けることにより、入出力用コネクタ４０等を覆い隠すことができ、落下してきた遊技球が各コネクタに当たらないように保護することができる。
【００２１】
次に、上記のように、遊技制御装置固有の識別情報ＩＤをワンチップマイコン３５に書換え不能に格納した遊技機において、遊技制御装置たる遊技制御ユニット２の一部には、内蔵電池により作動して上記固有の識別情報ＩＤを認識する読取機能を有する検査ユニット装置５０が着脱可能に設けられている。本実施形態では、図２に示すように、遊技制御装置の基板ボックス２６の上蓋部材２４の表面側の一部に凹室２７を設け、そこにタバコ箱大の、換言すると手のひらに横幅が収まる大きさの検査ユニット装置５０をはめ込む形態で収納している。また、遊技制御ユニット２の一部、ここでは基板ボックス２６の上蓋部材２４の上面側には、検査ユニット装置５０の載置台２８が差し込み式の受け台２９の形で設けられている。
【００２２】
検査ユニット装置５０には、上記読取機能により遊技制御装置の固有の識別情報ＩＤを読み取るための接続部として外部接触電極５１が設けられており、これに対応して、上蓋部材２４上面の載置台２８（受け台２９）内には、遊技制御装置から取り出した検査ユニット装置５０を載せたとき（差し込んだとき）、当該検査ユニット装置５０の外部接触電極５１と接触して、上記固有の識別情報ＩＤの認識を可能とする相手側接触電極５２が設けられている。
【００２３】
このように本実施形態においては、遊技制御装置の基板ボックス２６の上蓋部材２４の表面側の一部に設けた凹室２７に、検査ユニット装置５０を収納させているため、常に１台の遊技機に対して１個の検査ユニット装置５０を所属させる関係が保たれる。
【００２４】
上記のように遊技制御装置の基板ボックスに凹室２７を設けられるのは、次の理由による。即ち、通常、遊技制御基板５の納められている基板ボックス２６の大きさは、遊技制御基板５に付いている電子部品３６のうちで最も背の高い電子部品を基準とし、これを被うことができるように設定されている。従って、それ以外の背の低い電子部品３６と基板ボックス２６の背板部分との間のスペースは、比較的電子部品３６の頭部の上（裏面側）が空いていて自由度があるためである。換言すれば、その電子部品３６の頭部より上の部分のスペースを有効に使用するために、電子部品のうちの高さが低いものが取り付けられている位置に凹室２７を設け、そこに検査ユニット装置５０を取り付ける。これにより遊技機裏面の限られたスペースが有効活用できるものである。
【００２５】
上記検査ユニット装置５０は、これを受け台２９内に差し込んだとき、その下面の外部接触電極５１が、当該受け台２９内の相手側接触電極５２に接触して、上記固有の識別情報ＩＤの認識が可能となる。即ち、検査ユニット装置５０は、上記固有の識別情報ＩＤを読み取って自己が記憶している識別情報と比較し、両者が一致したとき、つまり読み取ることができたとき、その固有の識別情報ＩＤを液晶表示装置５３に表示し、他方、不一致であったときは、つまり認識ができないワンチップマイクロコンピュータであったときは、液晶表示装置５３にエラーメッセージを表示する。本実施形態の場合、検査ユニット装置５０には、読み取り開始用のスイッチ５４が設けられ、これを押すことにより読み取りが開始されるが、このスイッチ５４は必ずしも必要ではなく、これを省略し、受け台２９内に差し込むだけで読み取りが開始されるように構成することもできる。
なお、前記したように、一致或いは不一致であった場合に、それらを識別可能に表示する表示機能は、前記液晶表示装置５３に限定されるものではなく、例えば、ドットマトリクス表示、セグメント表示などにより、一致した場合は、全消灯とすることによりその旨を可視表示し、不一致のみ文字等を表示してその旨を報知するように構成してもよい。
【００２６】
上記構成によれば、次のような作用効果が得られる。即ち、検査ユニット装置５０は手のひらに収まる大きさ（タバコ箱大）であり、必要に応じて遊技制御装置からこの検査ユニット装置５０を取り出して受け台２９に載せることで、当該検査ユニット装置５０の外部接触電極５１が受け台の相手側接触電極５２と接触して導通するので、検査ユニット装置５０による上記固有の識別情報ＩＤの認識が可能となる。従って、必要に応じ、いつでも遊技制御装置の固有の識別情報ＩＤを認識することができる。この場合、検査ユニット装置５０は遊技機１台につき１個宛設けられる。従って、遊技店内でのワンチップマイコン３５のすり替えや、遊技機の輸送途中でのすり替えがあったかどうかにつき、その確認をいつでもすばやく行うことができる。
【００２７】
しかも、検査ユニット装置５０とワンチップマイコン３５の接続は、検査ユニット装置５０側の外部接触電極５１と受け台２９側の相手側接触電極５２との接触により行われ、いわゆる配線なしで行われるため、遊技制御装置の一部にある受け台２９に単に検査ユニット装置５０を載置すればよく、極めて簡単に電気的接続を達成することができる。この接触電極による接続は、いわゆる携帯電話機とその充電装置の受け台との関係と同様に、極めて簡単に電気的接続を果たすことができる。なお、接触電極は、ここでは弾力性のあるワイヤバネ状のもので形成しているが、平板状、ピン状、爪状等の任意の形状のもので構成することができる。
【００２８】
また、上記検査ユニット装置５０は電池式であり、内蔵電池が消耗した場合にはその交換が必要となるが、検査ユニット装置５０と遊技制御基板５（受け台２９）との電気的接続は接触電極同士の接触により行われ、検査ユニット装置５０からは接続線が引き出されていないので、極めて簡単に検査ユニット装置５０の内蔵電池を交換することができる。なお、電源は、充電式としてもよい。
【００２９】
一方、本実施形態においては、検査用出力端子３２を併せて備えているので、これに遊技店の管理室に設置された検査装置からの検査用配線４４を接続すると、遊技制御ユニット（遊技制御装置）２のワンチップマイコン３５の真偽を検査することができる。検査装置との接続を行なうため、遊技機設置島には、パチンコ機１ごとの検査用配線４４が予め設けてある。したがって、この様な遊技店に新たにパチンコ機１を設置した場合には、パチンコ機１の遊技制御装置たる遊技制御ユニット２に検査用配線４４を台数分だけ接続する必要があり、その作業の容易化が望まれる。この点に関しては、検査用出力端子３２が遊技制御基板ケース（基板ボックス）２６の外部に露出しているので、かしめ部材等の封止機構により上蓋部材２４と下蓋部材２５とを閉じた状態で封止した後であっても、上記した遊技関連の外部配線２１を接続する作業と共に行うことができる。そして、本実施形態では、検査用出力端子３２を入出力用コネクタ４０の近傍に配置してあるので、他の配線接続作業といっしょに行い易く作業能率を高めることができる。しかも、入出力用コネクタ４０と検査用出力端子３２とでは、配線２１，４４の接続方向が異なるので、誤った接続、すなわち配線接続ミスを未然に確実に防止することができる。
【００３０】
また、本実施形態では、コネクタカバー３１に貫通窓３３を開設してあるので、入出力用コネクタ４０の配線接続作業が終了してコネクタカバー３１を取り付けた後であっても、コネクタカバー３１を取り外すことなく検査用出力端子３２に検査用配線４４を容易に接続することができる。したがって、遊技制御ユニット２をパチンコ機本体に取り付けて工場で遊技関連の配線作業を終了してコネクタカバー３１を取り付け、この状態で遊技店に搬入された場合であっても、コネクタカバー３１をその都度取り外し、取り付けすることなくそのままの状態で、検査用配線４４を容易に接続することができる。なお、コネクタカバー３１に形成する貫通部は貫通窓３３に限らず検査用配線を通すことができればどのような構成でもよく、例えば切欠でもよい。
【００３１】
この様にして、検査用出力端子３２に島設備の検査用配線４４を接続すると、管理室の検査装置により、パチンコ機１に取り付けられている遊技制御ユニット２内のワンチップマイコン３５の固有識別情報を読み出すことができる。従って、外部接触電極に代えて上記検査ユニット装置５０にリード線により接続されたモジュラー式のプラグを設け、このプラグを検査用出力端子３２に差し込むことにより、遊技制御装置の固有の識別情報を読み取ることもできる。
【００３２】
検査ユニット装置５０又は検査装置には、遊技制御装置たる遊技制御ユニット２ごとに、すなわちパチンコ機１ごとに別個付与した固有の識別情報に対応した情報が予め記憶されているので、この読み出した固有識別情報を照合することにより当該パチンコ機１の遊技制御装置２（正確にはその遊技制御装置２のワンチップマイコン３５）が正規のものであるか否かを簡単に検査できる。そして、読み出した固有識別情報が検査ユニット装置５０又は検査装置の情報と一致していれば、当該パチンコ機１の遊技制御ユニット２が正規のもの、すなわち正規のワンチップマイコン３５であると判断し、一致しなかった場合には、不正なものであると判断する。したがって、ワンチップマイコン３５を不正に交換したり、遊技制御装置２自体を交換した場合には、読み出された固有の識別情報が検査装置の情報と一致することがなく、不正なものと判断される。なお、正規なものと判断した場合、不正なものと判断した場合のいずれも検査ユニット装置５０又は検査装置の表示装置に可視表示され、係員にその旨報知される。
【００３３】
また、本実施形態では、検査ユニット装置５０又は検査用出力端子３２から遊技制御装置たる遊技制御ユニット２のワンチップマイコン３５に格納されている遊技制御プログラムも識別情報と共に読み出すことができる。この場合、検査ユニット装置５０又は検査装置に、機種毎の基準となる遊技制御プログラムが格納されている。したがって、パチンコ機１の遊技制御装置２から読み出した遊技制御プログラムと検査装置の基準遊技制御プログラムとを比較し、一致すれば正規なものであると判断し、不一致であれば改竄された不正遊技制御プログラムであると判断することができる。なお、遊技制御プログラムの検査は、固有識別情報が一致して正規の遊技制御装置２であると判断されたことを前提として行なうことが望ましい。
【００３４】
以上、本発明の好ましい実施形態について説明したが、本発明はこれに限定されるものではない。
例えば、上記遊技制御装置の基板ボックス２６の上蓋部材２４において、その表面側の一部に、検査ユニット装置５０を収納するための凹室２７を設けたが、上蓋部材２４の一側面の一部に段差を設け、その段差部に上記検査ユニット装置を設置することもできる。
【００３５】
また、上記外部接触電極に代えて検査ユニット装置５０に無線による送受信機能を設けると共に、上記相手側接触電極に代えて上記遊技制御装置に無線による送受信機能を設け、両者の送受信機能による通信により上記遊技制御装置の固有の識別情報を読み取るように構成することもできる。この無線による送受信機能は、電波、光、音波のいずれによる送受信機能であってもよい。
【００３６】
更に、上記外部接触電極５１に代えて、上記検査ユニット装置５０にリード線により接続されたプラグを設けると共に、上記相手側接触電極５２に代えて、上記遊技制御装置に上記プラグの差し込まれるコネクタを設け、両者の接続により上記固有の識別情報を読み取ることもできる。この場合、モジュラータイプのプラグとし、コネクタには、上記検査用出力端子３２を兼用することができる。
【００３７】
更にまた、上記検査ユニット装置５０が、電池の代わりに、遊技制御装置から供給される電源により作動するように構成することもできる。
なお、上記実施形態では検査用出力端子３２にモジュラータイプのコネクタを採用したが、これに限定されるものではなく、検査ユニット装置５０や検査装置に対して電気的接続ができてワンチップマイコン３５の識別情報を読み出すことができればどのような形式でもよい。
【００３８】
なお、前記実施形態ではパチンコ機を例に挙げて説明したが、本発明はこれに限定されるものではなく、例えばアレンジボール式遊技機、スロット式遊技機、雀球遊技機などにも適用することができる。
【００３９】
また、今回開示した実施の形態はすべての点で例示であって制限的なものではないと考えるべきである。本発明の範囲は、前記した説明ではなくて特許請求の範囲によって示され、特許請求の範囲と均等の意味および範囲内でのすべての変更が含まれることが意図される。
【００４０】
【発明の効果】
以上説明したように本発明によれば、以下の効果を奏する。
請求項１〜４に記載の発明によれば、遊技制御装置の固有の識別情報を認識する検査ユニット装置を、遊技制御装置の一部に設けられた載置台に載せれば、当該検査ユニット装置の外部接触電極が載置台の相手側接触電極と接触して上記固有の識別情報を認識できる。
また、検査ユニット装置と遊技用ワンチップマイクロコンピュータの接続は、検査ユニット装置側の外部接触電極と受け台側の相手側接触電極との接触により行われ、いわゆる配線なしで行われるため、遊技制御装置の一部にある載置台又は受け台に単に検査ユニット装置を載置すればよく、極めて簡単に電気的に接続することができる。
【００４１】
請求項５に記載の発明によれば、遊技制御装置側から得た電力により検査ユニット装置を作動させて、上記固有の識別情報を確認することが可能となる。
【図面の簡単な説明】
【図１】
本発明の認識システムに係るパチンコ機の背面図である。
【図２】
図１の遊技制御ユニット（遊技制御装置）および電源供給ユニットの斜視図である。
【図３】
図１の遊技制御ユニットと電源供給ユニットの取り付け前の状態を示す斜視図である。
【図４】
遊技制御基板の斜視図である。
【図５】
検査用出力端子の斜視図である。
【図６】
検査用出力端子と遊技球の大きさの違いを示す説明図である。
【符号の説明】
１  パチンコ機
２  遊技制御ユニット（遊技制御装置）
３  電源供給ユニット
４  ベース部材
５  遊技制御基板
６  機枠
７  前面枠
９  遊技盤
１０  裏機構盤
１１  球貯留タンク
１２  球導出樋
１３  球排出ユニット
１４  表示制御ユニット
１５  装飾制御ユニット
１６  音制御ユニット
１７  排出制御ユニット
１９  発射制御ユニット
２０  中継基盤
２１  配線
２２  ヒンジ機構
２３  係止具
２４  上蓋部材
２５  下蓋部材
２６  遊技制御基板ケース（基板ボックス）
２７  凹室
２８  載置台
２９  受け台
３０  配線接続領域
３１  コネクタカバー
３２  検査用出力端子
３３  貫通窓部
３４  ケーブルフック
３５  遊技用ワンチップマイクロコンピュータ
３６  電子部品
４０  遊技関連の入出力用コネクタ
４１  凹部
４２  接点
４３  抜け止め受部
４４  検査用配線
４５  プラグ
４６  抜け止め部
４７  遊技球
４９  溝
５０  検査ユニット装置
５１  外部接触電極
５２  相手側接触電極
５３  液晶表示装置
５４  読み取り開始用のスイッチ